(57)【要約】【課題】屋外に植えた芝生等の植物の土壌の温度を、少ない設備費や運転費で調節することを可能な土壌温度調節システムを提供する。【解決手段】植物２を植えた土壌３の温度を調節する土壌温度調節システム１であり、土壌３中に埋設された地下水供給埋設管１１と、地下水供給埋設管１１の中に地下水を流すための地下水供給装置２０と、土壌３中に埋設されて地下水供給埋設管１１から排出される地下水を貯留する地下水貯留タンク３０とを備え、また土壌３中に埋設されて地下水供給埋設管１１から排出される地下水を地下に戻す地下水戻し装置５０と、を備え、また土壌３中に埋設されて地下水貯留タンク３０から地下水を地下に戻す地下水戻し装置５０とを備える。【選択図】図１
2011078362.tif 000002
【特許請求の範囲】
【請求項１】
植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を貯留する地下水貯留タンクと、
を備えることを特徴とする土壌温度調節システム。
【請求項２】
植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を地下に戻す地下水戻し装置と、
を備えることを特徴とする土壌温度調節システム。
【請求項３】
植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を貯留する地下水貯留タンクと、
前記土壌中に埋設されて前記地下水貯留タンクから地下水を地下に戻す地下水戻し装置と、
を備えることを特徴とする土壌温度調節システム。
【請求項４】
前記地下水貯留タンクに貯留された地下水を前記植物に対して散水する散水装置を有することを特徴とする請求項１に記載の土壌温度調節システム。
【請求項５】
前記地下水供給埋設管は、植物を植えた土壌中に地下水を供給する供給孔を有することを特徴とする請求項１乃至請求項３のいずれか１項に記載の土壌温度調節システム。
【請求項６】
前記地下水供給埋設管は、供給する地下水の温度を調節する温度調節手段を有することを特徴とする請求項１乃至請求項３のいずれか１項に記載の土壌温度調節システム。
【発明の詳細な説明】
【技術分野】
【０００１】
この発明は、植物を植えた土壌の温度を調節する土壌温度調節システムに関する。
【背景技術】
【０００２】
例えば、園芸施設では、室温調節のために、冷房と暖房の機能を兼ね備えたヒートポンプ等が使われ、このヒートポンプは、冷房サイクルと暖房サイクルを選択的に切り換えることにより、熱交換器から冷風又は温風を選択的に放出させて園芸施設の室温を調節するようになっている。
【０００３】
従来のヒートポンプでは、設備費や運転費が比較的高価になるという問題があったため、ヒートポンプを使用した場合と比べて少ない設備費や運転費で一年を通じて室温を一定に調節することを可能とした園芸施設の室温調節装置が提案されている。
【先行技術文献】
【特許文献】
【０００４】
【特許文献１】特開２００１−２１１７６３号公報
【発明の概要】
【発明が解決しようとする課題】
【０００５】
このように、ガラス等で覆われたハウスの中で所要植物を栽培する園芸施設では、園芸用施設を所定室温に維持して通年使用するには、夏場は室温を下げ、冬場は室温を上げることが行なわれているが、園芸施設以外の例えば屋外の公園に植えた芝生等では、土壌の温度を夏場と冬場とで調節することができなかった。
【０００６】
この発明は、前記事情に鑑みてなされたものであって、屋外に植えた芝生等の植物の土壌の温度を、少ない設備費や運転費で調節することを可能な土壌温度調節システムを提供することを目的とする。
【課題を解決するための手段】
【０００７】
前記課題を解決し、かつ目的を達成するために、この発明は、以下のように構成した。
【０００８】
請求項１に記載の発明は、植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を貯留する地下水貯留タンクと、
を備えることを特徴とする土壌温度調節システムである。
【０００９】
請求項２に記載の発明は、植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を地下に戻す地下水戻し装置と、
を備えることを特徴とする土壌温度調節システムである。
【００１０】
請求項３に記載の発明は、植物を植えた土壌の温度を調節する土壌温度調節システムであり、
前記土壌中に埋設された地下水供給埋設管と、
前記地下水供給埋設管の中に地下水を流すための地下水供給装置と、
前記土壌中に埋設されて前記地下水供給埋設管から排出される地下水を貯留する地下水貯留タンクと、
前記土壌中に埋設されて前記地下水貯留タンクから地下水を地下に戻す地下水戻し装置と、
を備えることを特徴とする土壌温度調節システムである。
【００１１】
請求項４に記載の発明は、前記地下水貯留タンクに貯留された地下水を前記植物に対して散水する散水装置を有することを特徴とする請求項１に記載の土壌温度調節システムである。
【００１２】
請求項５に記載の発明は、前記地下水供給埋設管は、植物を植えた土壌中に地下水を供給する供給孔を有することを特徴とする請求項１乃至請求項３のいずれか１項に記載の土壌温度調節システムである。
【００１３】
請求項６に記載の発明は、前記地下水供給埋設管は、供給する地下水の温度を調節する温度調節手段を有することを特徴とする請求項１乃至請求項３のいずれか１項に記載の土壌温度調節システムである。
【発明の効果】
【００１４】
前記構成により、この発明は、以下のような効果を有する。
【００１５】
請求項１に記載の発明では、土壌中に埋設された地下水供給埋設管の中に地下水を流すことで、地下水の熱を利用して植物を植えた土壌の温度を、夏場は下げ、冬場は上げ、少ない設備費や運転費で調節することが可能である。また、地下水供給埋設管から排出される地下水を地下水貯留タンクに貯留し、地下水が大量に排出することを防止できる。
【００１６】
請求項２に記載の発明では、土壌中に埋設された地下水供給埋設管の中に地下水を流すことで、地下水の熱を利用して植物を植えた土壌の温度を、夏場は下げ、冬場は上げ、少ない設備費や運転費で調節することが可能である。また、地下水供給埋設管から排出される地下水を地下に戻すことで、地下水を循環させて利用することができる。
【００１７】
請求項３に記載の発明では、土壌中に埋設された地下水供給埋設管の中に地下水を流すことで、地下水の熱を利用して植物を植えた土壌の温度を、夏場は下げ、冬場は上げ、少ない設備費や運転費で調節することが可能である。また、地下水供給埋設管から排出される地下水を地下水貯留タンクに貯留し、地下水貯留タンクから
地下に戻すことで、地下水の流量を調節して循環させることができる。
【００１８】
請求項４に記載の発明では、地下水貯留タンクに貯留された地下水を有効に利用して植物に対して散水することができる。
【００１９】
請求項５に記載の発明では、地下水供給埋設管の供給孔から植物を植えた土壌中に地下水を供給することで、土壌の温度を効率的に調節することができると共に、植物に水を与えることができる。
【００２０】
請求項６に記載の発明では、地下水供給埋設管の温度調節手段によって、供給する地下水の温度を調節することができる。
【図面の簡単な説明】
【００２１】
【図１】第１の実施の形態の土壌温度調節システムの概略構成図である。
【図２】地下水供給埋設管の埋設部分の断面図である。
【図３】地下水供給埋設管の配置状態を示す平面図である。
【図４】第２の実施の形態の土壌温度調節システムの概略構成図である。
【図５】第３の実施の形態の土壌温度調節システムの概略構成図である。
【図６】地下水供給埋設管の一部の拡大図である。
【図７】地下水供給埋設管の配置状態を示す平面図である。
【図８】地下水供給埋設管の一部の拡大図である。
【発明を実施するための形態】
【００２２】
以下、この発明の土壌温度調節システムの実施の形態を、図面に基づいて詳細に説明する。また、この発明の実施の形態は、発明の最も好ましい形態を示すものであり、この発明は、これに限定されない。
【００２３】
［第１の実施の形態］
この実施の形態を、図１乃至図３に基づいて説明する。図１は土壌温度調節システムの概略構成図、図２は地下水供給埋設管の埋設部分の断面図、図３は地下水供給埋設管の配置状態を示す平面図である。
【００２４】
この実施の形態の土壌温度調節システム１は、屋外で植物２を植えた土壌３の温度を調節するシステムであり、植物２としては例えば高麗芝などの芝生、花、野菜等が好ましい。この土壌温度調節システム１は、地下水供給埋設管１０と、地下水供給装置２０と、地下水貯留タンク３０と、散水装置４０とを有する。
【００２５】
この地下水供給埋設管１０は、土壌２中に埋設され、例えば熱伝導性の良い金属製の管や合成樹脂性のパイプなどで成形され、図２に示すように、植物２が根を張る部分の深さに埋設される。また、地下水供給埋設管１０は、図３に示すように、所定の矩形の領域に、所定間隔で平行になるように埋設する。
【００２６】
地下水供給装置２０は、供給ポンプ２１と、汲み上げパイプ２２等から構成され、汲み上げパイプ２２の下端部は井戸４の地下水に入っている。供給ポンプ２１が駆動することで、汲み上げパイプ２２によって井戸４から地下水を汲み上げて地下水供給埋設管１０に供給する。
【００２７】
地下水貯留タンク３０は、土壌３中に全体が埋設されているが、一部を埋設していても良く、あるいは単に置いた状態で設置したものでも良く、地下水供給埋設管１０から排出される地下水を貯留する。地下水貯留タンク３０が土壌３中に埋設されている場合には、土壌３の温度によって貯留されている地下水の温度を調節することができる。地下水貯留タンク３０を土壌３中に埋設する場合には、地下水貯留タンク３０を熱伝導性の良い金属製の板材で成形することが好ましい。
【００２８】
散水装置４０は、散水支柱４１、散水器４２等から構成される。この散水支柱４１は散水器４２の駆動によって地下水貯留タンク３０に貯留されている地下水を植物に散水する。
【００２９】
このように、土壌３中に埋設された地下水供給埋設管１０の中に地下水を流すことで、地下水の熱を利用して植物２を植えた土壌３の温度を、夏場は下げ、冬場は上げ、少ない設備費や運転費で調節することが可能である。また、地下水貯留タンク３０に貯留された地下水を有効に利用して植物２に対して散水することができる。
【００３０】
［第２の実施の形態］
この実施の形態を、図４に基づいて説明する。図４は土壌温度調節システムの概略構成図である。この実施の形態の土壌温度調節システム１は、図１乃至図３と同じ構成は同じ符号を付して説明を省略する。
【００３１】
この実施の形態の土壌温度調節システム１では、散水装置４０に代えて地下水戻し装置５０を備える。この地下水戻し装置５０は、地下水戻しパイプ５１を有し、地下水供給埋設管１０に地下水戻しパイプ５１の一端を接続し、この地下水戻しパイプ５１の他端を井戸４に接続し、地下水戻しパイプ５１を介して地下水を井戸４に戻す。この地下水戻し装置５０によって、地下水供給埋設管１０から排出された地下水を地下に戻し、地下水を循環させて地下水供給埋設管１０を通すことで、夏場は地下水の温度が上がるが、この地下水の温度を下げることができ、また冬場は地下水の温度が下がるが、この地下水の温度を上げることができる。
【００３２】
［第３の実施の形態］
この実施の形態を、図５に基づいて説明する。図５は土壌温度調節システムの概略構成図である。この実施の形態の土壌温度調節システム１は、図１乃至図３と同じ構成は同じ符号を付して説明を省略する。
【００３３】
この実施の形態の土壌温度調節システム１では、この散水装置４０に代えて地下水戻し装置５０を備える。この地下水戻し装置５０は、地下水戻しパイプ５１を有し、地下水貯留タンク３０に地下水戻しパイプ５１の一端を接続し、この地下水戻しパイプ５１の他端を井戸４に接続し、地下水戻しパイプ５１を介して地下水を井戸４に戻す。この地下水戻し装置５０によって、地下水貯留タンク３０に貯留された地下水を地下に戻し、地下水を循環させることで、地下水貯留タンク３０から地下に戻す地下水の水量を調節し、これにより夏場は地下水の温度が上がるが、この地下水の温度を下げることができ、また冬場は地下水の温度が下がるが、この地下水の温度を上げることができる。
【００３４】
［地下水供給埋設管の構成］
次に、地下水供給埋設管の構成を、図６乃至図８に基づいて説明する。図６は地下水供給埋設管の一部の拡大図である。図６（ａ）の実施の形態では、地下水供給埋設管１０が円形パイプであり、パイプ軸方向に沿って所定間隔で供給孔１０ａを形成し、図６（ｂ）の実施の形態では、ランダムに供給孔１０ａを形成し、供給孔１０ａ  によって植物２を植えた土壌３中に地下水を供給する。このように、地下水供給埋設管１０の供給孔１０ａから植物２を植えた土壌３中に地下水を供給することで、土壌３の温度を効率的に調節することができると共に、植物２に水を与えることができる。
【００３５】
図７は地下水供給埋設管の配置状態を示す平面図である。この実施の形態では、地下水供給埋設管１０を２本用いたもので、一本の地下水供給埋設管１０は、図３の実施の形態と同様に配置され、他の一本の地下水供給埋設管１０は、図３の実施の形態の地下水供給埋設管１０に対して所定間隔で直交するように配置され、土壌３の温度を効率的に調節することができる。
【００３６】
図８は地下水供給埋設管の一部の拡大図である。この実施の形態の地下水供給埋設管１０には、温度調節手段６０が設けられている。この温度調節手段６０は、加熱コイルを有する加熱シート６１と、この加熱シート６１に電流を流す電源６２とを有し、加熱シート６１によって地下水供給埋設管１０を加熱することで供給する地下水の温度を調節する。この電源６２のオン、オフは、例えば土壌２の温度を検出し、温度が所定温度より低いときにはオンし、温度が所定温度より高いときにはオフし、地下水供給埋設管１１を加熱することで供給する地下水の温度を調節することができる。
【産業上の利用可能性】
【００３７】
この発明は、植物を植えた土壌の温度を調節する土壌温度調節システムに適用可能であり、屋外に植えた芝生等の植物の土壌の温度を、少ない設備費や運転費で調節することを可能である。
【符号の説明】
【００３８】
１  土壌温度調節システム
２  植物
３  土壌
４  井戸
１０  地下水供給埋設管
１０ａ  供給孔
２０  地下水供給装置
２１  供給ポンプ
２２  汲み上げパイプ
３０  地下水貯留タンク
４０  散水装置  
４１  散水支柱
４２  散水器
５０  地下水戻し装置
５１  地下水戻しパイプ
６０  温度調節手段
６１  加熱シート
６２  電源
【図１】
2011078362.tif 000003
【図２】
2011078362.tif 000004
【図３】
2011078362.tif 000005
【図４】
2011078362.tif 000006
【図５】
2011078362.tif 000007
【図６】
2011078362.tif 000008
【図７】
2011078362.tif 000009
【図８】
2011078362.tif 000010